(57)【要約】【課題】使用者が加熱機器の側から離れているときに即座に加熱機器に対する所定の操作が必要となっても、当該加熱機器の側まで足を運ばなくても所定の操作を迅速に行うことがでる加熱機器を安価に提供する。【解決手段】加熱手段２を制御する制御手段４を設ける。他の電気機器専用のリモコン１０から送信されるリモコン信号を受信する受信手段５を設ける。受信手段５による信号受信時から計時を開始する計時手段６を設ける。計時手段６の計時による所定時間内に、受信手段５によりリモコン信号が複数回受信されたとき、制御手段４は加熱手段２に対して加熱停止又は加熱手段の加熱量減少等の所定の制御を行う。【選択図】図１
2007147106.tif 000002
【特許請求の範囲】
【請求項１】
加熱手段と、該加熱手段の運転を操作する操作手段と、該操作手段の操作に応じて加熱手段を制御する制御手段とを備える加熱機器において、
他の電気機器を操作するための無線リモコンから送信されるリモコン信号を受信する受信手段と、該受信手段がリモコン信号を受信したときから計時を開始する計時手段とを備え、
前記制御手段は、前記計時手段の計時による所定時間内に、前記受信手段によりリモコン信号が複数回受信されたとき、前記加熱手段に対して所定の制御を行うことを特徴とする加熱機器。
【請求項２】
前記計時手段が計時を開始するときに前記受信手段が受信したリモコン信号のデータを記憶データとする記憶手段と、該記憶手段がリモコン信号のデータを記憶した後に、前記受信手段がリモコン信号を受信したとき、当該リモコン信号の受信データと前記記憶データとを比較する比較手段とを備え、
前記制御手段は、前記受信手段がリモコン信号を受信して前記計時手段が計時を開始した以降に、前記比較手段による比較結果において前記記憶データと同一の受信データを有するリモコン信号が所定時間内に複数回受信されたとき、前記加熱手段に対して所定の制御を行うことを特徴とする請求項１記載の加熱機器。
【請求項３】
前記制御手段は、前記所定の制御として、加熱手段の加熱停止又は加熱手段の加熱量減少を行うことを特徴とする請求項１又は２記載の加熱機器。
【発明の詳細な説明】
【技術分野】
【０００１】
本発明は、例えば、調理機器や室内給湯器等の加熱機器に関する。
【背景技術】
【０００２】
従来、電気こんろ等の調理用加熱機器においては、離れた場所から調理に関わる制御を行うために、当該電気こんろ専用のリモコンを設けたものが知られている（例えば、特許文献１参照）。これによれば、使用者にとって、調理を行っている間こんろの側についている煩わしさが軽減されるだけでなく、こんろの側から離れているときに調理物の吹きこぼれや焦げ付きが生じる等の緊急時にも、離れたところからこんろの側に駆け寄る前に専用リモコンを用いて即座に機器の停止操作を行うことができる。
【０００３】
しかし、このものでは、上記のような緊急性を有するときに、一時的に専用リモコンが紛失状態となっていると、即座に専用リモコンによる操作が行えず、こんろの側まで急遽足を運ばなければならない不都合がある。
【０００４】
また、加熱機器のなかでも、特にガスこんろのように加熱手段としてガスバーナ等の燃焼手段を用いたものにおいては、火力の細かい調節が調理物の出来上がりに影響するために調理中にこんろの側から離れることが極めて少なく、また、ガスこんろにおいては使用者に安価に提供するために、前述のような運転を遠隔操作する専用リモコンが設けられていない。このため、極めて短時間であってもガスこんろの側から離れているときに、調理物の吹きこぼれや焦げ付き、或いは地震発生により消火が必要となる事態が生じると、使用者は急遽ガスこんろの側まで足を運ばなければならない不都合がある。
【特許文献１】特開平６−４６４７６号公報
【発明の開示】
【発明が解決しようとする課題】
【０００５】
かかる不都合を解消して、本発明は、使用者が加熱機器の側から離れているときに即座に加熱機器に対する所定の操作が必要となっても、当該加熱機器の側まで足を運ばなくても所定の操作を迅速に行うことができる加熱機器を安価に提供することを目的とする。
【課題を解決するための手段】
【０００６】
かかる目的を達成するために、本発明は、加熱手段と、該加熱手段の運転を操作する操作手段と、該操作手段の操作に応じて加熱手段を制御する制御手段とを備える加熱機器において、他の電気機器を操作するための無線リモコンから送信されるリモコン信号を受信する受信手段と、該受信手段がリモコン信号を受信したときから計時を開始する計時手段とを備え、前記制御手段は、前記計時手段の計時による所定時間内に、前記受信手段によりリモコン信号が複数回受信されたとき、前記加熱手段に対して所定の制御を行うことを特徴とする。
【０００７】
本発明の加熱機器は、該加熱機器の操作専用のリモコンを設けることなく、他の電気機器（例えば、テレビ受像機、ビデオデッキ、オーディオ、エアコン等）に付属するリモコンの何れを使用しても、加熱機器に対して所定の制御を行えるようにしたものである。即ち、本発明の加熱機器は、前記受信手段を備えることによって、他の電気機器専用のリモコンから送信されるリモコン信号を受信することができるようになっている。そして、前記受信手段がリモコン信号を受信すると、前記計時手段が計時を開始する。次いで、リモコン信号が所定時間（例えば１０秒、或いは、極めて短時間）内に複数回（例えば３回以上）受信されたときに、前記制御手段は、前記加熱手段に対して所定の制御を行う。
【０００８】
このようなリモコン信号の受信は、具体的には、他の電気機器のリモコンに備えられている各操作ボタンが短時間のうちに複数回押圧操作されたときに生じる。通常のリモコン操作（即ち、テレビ受像機のチャンネル変更や、エアコンの設定温度変更等の操作）に際しては、リモコンの操作ボタンが短時間のうちに複数回押圧されることは殆どないことから、他の電気機器を操作する際のリモコンの操作と、他の電気機器専用のリモコンを用いて本発明の加熱機器を操作する際の当該リモコンの操作とを識別することができる。
【０００９】
そして、これによって、使用者はガスこんろの側まで足を運ぶよりも速く、最も近くにある他の電気機器専用のリモコンを用いて加熱手段の所定の操作を行うことができるので、リモコンを探し回って操作に手間取ることもなく、急を要する操作に迅速に対応することができる。
【００１０】
また、本発明において、前記計時手段が計時を開始するときに前記受信手段が受信したリモコン信号のデータを記憶データとする記憶手段と、該記憶手段がリモコン信号のデータを記憶した後に、前記受信手段がリモコン信号を受信したとき、当該リモコン信号の受信データと前記記憶データとを比較する比較手段とを備え、前記制御手段は、前記受信手段がリモコン信号を受信して前記計時手段が計時を開始した以降に、前記比較手段による比較結果において前記記憶データと同一の受信データを有するリモコン信号が所定時間内に複数回受信されたとき、前記加熱手段に対して所定の制御を行うことが好ましい。
【００１１】
これによれば、前記受信手段がリモコン信号を受信すると、前記計時手段が計時を開始し、同時に、前記記憶手段がリモコン信号の受信データを記憶データとして記憶する。次いで、前記受信手段がリモコン信号を受信すると、このときの受信データと記憶手段に記憶されている記憶データとが前記比較手段により比較される。その後、前記受信手段がリモコン信号を受信する度に、比較手段による比較が行われ、これらの受信データが記憶データと同一であり、且つ、これらのリモコン信号の受信が所定時間（例えば１０秒、或いは、極めて短時間）内に複数回（例えば３回以上）行われたときに、前記制御手段は、前記加熱手段に対して所定の制御を行う。このようなリモコン信号の受信は、具体的には、リモコンに備えられている複数の操作ボタンのうちの一つが短時間のうちに複数回押圧操作されたときに生じる。通常のリモコン操作（即ち、テレビ受像機のチャンネル変更や、エアコンの設定温度変更等の操作）に際しては、一つの操作ボタンを短時間のうちに複数回押圧されることはないことから、他の電気機器を操作する際のリモコンの操作と、他の電気機器専用のリモコンを用いて本発明の加熱機器を操作する際の当該リモコンの操作とを識別することができ、一層確実に誤動作を防止することができる。
【００１２】
また、本発明において、前記制御手段は、前記所定の制御として、加熱手段の加熱停止又は加熱手段の加熱量減少を行うことを特徴とする。
【００１３】
本発明の加熱機器は、前述したように、他の電気機器を操作するリモコンにより所定の操作が行えるので、本発明の加熱機器専用のリモコンを不要として安価に提供することができる。そして、前記所定の制御として、加熱手段の加熱停止又は加熱手段の加熱量減少を行うようにすることで、加熱機器としてガスこんろを例にとれば、ガスこんろの側から離れている使用者が、調理物の吹きこぼれや焦げ付きに気付いたとき、或いは地震発生により消火が必要となる事態が生じたときに、ガスこんろの側まで足を運ぶよりも速く、最も近くにある他の電気機器専用のリモコンを用いて加熱手段の加熱停止又は加熱手段の加熱量減少を行うことができる。これによって、リモコンを探し回って操作に手間取ることもなく、急を要する操作に迅速に対応することができる。
【発明を実施するための最良の形態】
【００１４】
本発明の一実施形態を図面に基づいて説明する。図１は本実施形態の加熱機器の概略構成を示すブロック図、図２は本実施形態の加熱機器におけるリモコン操作時の作動を示すフローチャートである。
【００１５】
本実施形態の加熱機器は、加熱手段としてガスバーナを備えるガスこんろである。該ガスこんろ１は、図１に示すように、ガス燃焼部２の点火・消火及び火力調節等の運転操作を行う本体操作パネル３（操作手段）を備え、該本体操作パネル３の操作に応じてガスバーナの運転を制御する制御手段４を備えている。なお、図示しないが、ガス燃焼部２は、ガスバーナ、ガスバーナに燃料ガスを供給するガス供給路、及び、ガス供給路に設けられた安全弁やガス流量調整弁といった複数の弁により構成されており、本体操作パネル３は、点火・消火スイッチ、火力調節摘み等の各種操作スイッチを備えている。
【００１６】
また、本実施形態のガスこんろ１は赤外線信号受信部５（受信手段）を備えており、該赤外線信号受信部５は制御手段４に向かって受信データを出力する。更に、制御手段４は、タイマ６（計時手段）と、記憶部７（記憶手段）と、比較部８（比較手段）と、燃焼制御部９とを備えている。
【００１７】
タイマ６は、赤外線信号受信部５により赤外線信号が受信されたときに計時を開始する。記憶部７は、タイマ６が計時を開始した際に赤外線信号受信部５により受信された赤外線信号の受信データ（最初の受信データ）を記憶データとして記憶する。比較部８は、タイマ６が計時を開始した後に赤外線信号受信部５により受信された赤外線信号の受信データ（２度目以降の受信データ）と記憶部７の記憶データとを比較する。燃焼制御部９は、本体操作パネル３による操作に応じて、点火・消火及び火力調節等のガスバーナの制御を行い、更に、比較部８による比較結果とタイマ６が計時時間に基づいて、ガスバーナを消火させる制御を行う。
【００１８】
赤外線信号受信部５は、図示しない他の電気機器に付属するリモコン１０から送信される他の電気機器を操作するための赤外線信号を受信する。他の電気機器としては、例えば、テレビ受像機、ビデオデッキ、オーディオ、エアコン等の近年において遠隔操作が一般的に行われているものを挙げることができる。図示したリモコン１０は、テレビ受像機用のもので、チャンネル選択・変更用に多数の押しボタン式スイッチ１１を備え、何れかのスイッチ１１を押圧することで、赤外線信号（リモコン信号）を送信する。なお、本実施形態における赤外線信号受信部５は、図示したテレビ受像機用リモコン１０に限らず、他の電気機器のリモコンから送信される赤外線信号（リモコン信号）であっても受信することができるようになっている。
【００１９】
次に、本実施形態の加熱機器であるガスこんろ１の作動を説明する。図１を参照して、本実施形態のガスこんろ１により調理を行うとき、使用者が本体操作パネル３を操作して、点火及び火力調節を行う。制御手段４は本体操作パネル３の操作に応じて燃焼制御部９を介してガス燃焼部２の制御を行う。この間、調理物の状態を確認しながら火加減を調節するために、使用者はガスこんろ１の側に付いて調理作業が行なわれる。そして、調理が完了した時点で、使用者は本体操作パネル３を操作して消火させる。
【００２０】
ところで、使用者は調理作業中であっても、やむを得ずガスこんろ１の側から離れなければならないことがある。そして更に、使用者がガスこんろ１の側から離れている間に調理物の吹きこぼれや焦げ付き、或いは地震等が発生すると、使用者は即座にガスこんろ１の運転を停止（ガスバーナを消火）させる必要がある。
【００２１】
こうした状況が発生した場合には、本実施形態のガスこんろ１においては、使用者が最も近くにある他の電気機器のリモコン１０のスイッチ１１を短時間で複数回（３回以上）押圧する操作を行うことで、ガスこんろ１の側に足を運ぶよりも速く、ガスこんろ１の運転を停止（ガスバーナを消火）させることができる。この際の、ガスこんろ１の作動を次に説明する。
【００２２】
図２に示すように、ガスこんろ１の運転が開始されてＳＴＥＰ１においてガスバーナが点火されると、ＳＴＥＰ２においてタイマ６の時間ｔがリセット（ｔ＝０）され、ＳＴＥＰ３においてカウント数（受信回数）ｎがクリア（ｎ＝０）され、更に、ＳＴＥＰ４において記憶部７の記憶データが消去される。
【００２３】
その後、他の電気機器のリモコン１０のスイッチ１１が押圧されてリモコン信号（赤外線信号）がガスこんろ１に向かって送信されると、ＳＴＥＰ５において赤外線信号受信部５により赤外線信号が受信（初回の赤外線信号受信）され、ＳＴＥＰ６においてタイマ６が計時を開始する。ＳＴＥＰ５において受信される赤外線信号は、他の電気機器のリモコン１０（図１においてはテレビ受像機のリモコン）から送信されたものである。
【００２４】
次いで、ＳＴＥＰ７において記憶部７に記憶データの有無が判断される。この時点では、ＳＴＥＰ５による初回の赤外線信号受信が行われたことにより、記憶部７には記憶データがないので（ＳＴＥＰ４での記憶データの消去が行われた状態）、ＳＴＥＰ８へ進む。ＳＴＥＰ８では、ＳＴＥＰ５において受信されたときの赤外線信号の受信データが記憶部７に記憶される。次いで、ＳＴＥＰ９で１回目のカウントが行われ（ｎ＝１）、ＳＴＥＰ１０においてカウント数が３回でなければ（この時点では１回目の受信であるので）ＳＴＥＰ１１へ進む。
【００２５】
続いて、他の電気機器のリモコン１０のスイッチ１１が押圧されてリモコン信号（赤外線信号）がガスこんろ１に向かって送信されると、ＳＴＥＰ１１において赤外線信号受信部５により赤外線信号が受信（２回目の赤外線信号受信）され、ＳＴＥＰ７に戻る。このとき、ＳＴＥＰ８により記憶部７には記憶データが記憶されていることにより、ＳＴＥＰ７からＳＴＥＰ１２に進み、比較部８によりＳＴＥＰ１１において受信された赤外線信号の受信データと記憶データとの比較が行われる。そして、比較結果からＳＴＥＰ１１において受信された赤外線信号の受信データが記憶データと同一であるとき、ＳＴＥＰ１３へ進む。ＳＴＥＰ１３ではカウント数が１回加算され（ｎ＝ｎ＋１）る。次いでＳＴＥＰ１０へ進み、カウント数が３回でなければ（この時点では２回目の受信であるので）ＳＴＥＰ１１へ進む。
【００２６】
次いで、他の電気機器のリモコン１０のスイッチ１１が押圧されてリモコン信号（赤外線信号）がガスこんろ１に向かって送信されると、ＳＴＥＰ１１において赤外線信号受信部５により赤外線信号が受信（３回目の赤外線信号受信）され、ＳＴＥＰ７に戻る。その後、ＳＴＥＰ１２に進み、比較部８によりＳＴＥＰ１１において受信された赤外線信号の受信データが記憶データと同一であることが確認されれば、ＳＴＥＰ１３へ進んでカウント数が更に１回加算される。この時点で、受信回数が３回となるので、ＳＴＥＰ１０からＳＴＥＰ１４へ進み、ＳＴＥＰ６の時点（初回の赤外線信号受信）から１０秒以内であれば、ＳＴＥＰ１５へ進んでガスバーナが消火される。
【００２７】
従って、同一のリモコン１０から送信された同一のリモコン信号（赤外線信号）を１０秒以内に３回受信した場合、即ち、使用者によって同一のリモコン１０に備える同一の操作スイッチ１１が１０秒以内に３回以上押圧（連打）された場合にガスバーナが消火される。
【００２８】
一方、２回目以降の受信データ（ＳＴＥＰ１１において受信された赤外線信号の受信データ）が記憶データと異なる場合にはＳＴＥＰ１２からＳＴＥＰ２へ戻り、また、同一の受信データが３回受信されても、初回の赤外線信号受信から１０秒を超える時間が経過していた場合にはＳＴＥＰ１４からＳＴＥＰ２へ戻る。これにより、他の電気機器を操作するためにリモコン１０のスイッチ１１が押圧された場合を排除することができ、ガスこんろ１における誤動作（赤外線信号受信に伴う不必要な消火）を防止することができる。
【００２９】
なお、本実施形態は、使用者によって同一のリモコン１０に備える同一の操作スイッチ１１が１０秒以内に３回以上押圧（連打）された場合の制御を示したが、それ以外に、リモコン１０に備える複数の操作スイッチのうちで所定時間（１０秒以内）に複数の異なる操作スイッチが押圧された場合にガスバーナが消火されるようにすることも挙げられる。この場合には、図示しないが、構成においては図１に示した記憶部７及び比較部８を設けず、制御においては初回の受信データを記憶せず、２回目以降の受信データとの比較を行わなくてもよい。
【００３０】
また、本実施形態の制御手段４においては、他の電気機器のリモコン１０を用いることによってガスバーナを消火させる制御を行う例を示したが、消火に限るものでなく、例えば火力を減少させる制御を行うようにしてもよい。
【００３１】
また、本実施形態においては、テレビ受像機用リモコン１０のみを示したが、前記赤外線信号受信部５は、テレビ受像機用リモコン１０からの赤外線信号だけでなく、例えば、オーディオ用リモコンやエアコン用リモコン等からの赤外線信号であっても受信できるものであることは言うまでもない。
【００３２】
更にまた、本実施形態においては、他の電気機器のリモコン１０として赤外線信号を送信するものを示したが、これに限るものではなく、他の電気機器のリモコンが電波信号を送信するものであるときには、本発明の受信手段として前記赤外線信号受信部５に替えて電波信号受信部を設けてもよい。
【図面の簡単な説明】
【００３３】
【図１】本発明の一実施形態の加熱機器の概略構成を示すブロック図。
【図２】本実施形態の加熱機器におけるリモコン操作時の作動を示すフローチャート。
【符号の説明】
【００３４】
１…ガスこんろ（加熱機器）、２…ガス燃焼部（加熱手段）、３…本体操作パネル（操作手段）、４…制御手段、５…赤外線信号受信部（受信手段）、６…タイマ（計時手段）、７…記憶部（記憶手段）、８…比較部（比較手段）、１０…リモコン。
【図１】
2007147106.tif 000003
【図２】
2007147106.tif 000004